【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】  複数の辺を有するパネル部材と該パネル部材に連結されたトランスデューサとを備えた分散モード能動音響機器であって、
前記パネル部材は、該パネル部材の面方向に広がる能動区域にわたって作動周波数範囲の複数の撓み波を維持することができ、撓み波振動の複数の共振モードの分布がトランスデューサと共に音響性能を左右するようになっており、
前記パネル部材は、前記能動区域内において、前記作動周波数範囲内の複数の低周波数共振撓み波モードが振動的に能動的反ノードとなる少なくとも１つの内側領域を有し、
前記トランスデューサは、前記少なくとも１つの内側領域の１つの直交座標に対応する前記パネル部材の周縁位置において該パネル部材に連結され、前記少なくとも１つの内側領域を実質的に妨害されない状態にして、パネル部材と該トランスデューサとの有益な作動上の相互作用が達成されるようになった、
ことを特徴とする分散モード能動音響機器。
【請求項２】  前記パネル部材は、その端辺の一部に沿ってクランプされていることを特徴とする請求項１に記載の分散モード能動音響機器。
【請求項３】  前記端辺のクランプは、局所化されていることを特徴とする請求項２に記載の分散モード能動音響機器。
【請求項４】  前記局所化された端辺のクランプは複数であることを特徴とする請求項３に記載の分散モード能動音響機器。
【請求項５】  前記複数の局所化された端辺のクランプの相互の間隔は、低周波数共振モードの波長に関連させられており、それによって機器の音響作用に対するそれらの寄与を増大させることを特徴とする請求項４に記載の分散モード能動音響機器。
【請求項６】  前記複数の局所化された端辺のクランプは、１つより多い辺に関連させられていることを特徴とする請求項２に記載の分散モード能動音響機器。
【請求項７】  前記パネル部材は、実質的に矩形であり、前記複数の局所化された端辺のクランプは、前記トランスデューサに組み合わされていない３つの辺に関連させられていることを特徴とする請求項６に記載の分散モード能動音響機器。
【請求項８】  前記複数の局所化された端辺のクランプは、各コーナ及び前記３つの辺の中点にあることを特徴とする請求項７に記載の分散モード能動音響機器。
【請求項９】  前記端辺のクランプは、前記パネル部材に沿って延びていることを特徴とする請求項２に記載の分散モード能動音響機器。
【請求項１０】  前記端辺のクランプは、前記トランスデューサに組み合わされていない少なくとも１つの辺に沿って延びていることを特徴とする請求項９に記載の分散モード能動音響機器。
【請求項１１】  前記パネル部材は実質的に矩形であり、前記端辺のクランプは、２つの平行する辺に沿って延びていることを特徴とする請求項１０に記載の分散モード能動音響機器。
【請求項１２】  前記端辺のクランプは、３つの辺に沿って延びていることを特徴とする請求項１０に記載の分散モード能動音響機器。
【請求項１３】  前記パネル部材はほぼ矩形であり、前記周縁位置は、該パネル部材の短い端辺と長い端辺のそれぞれの中間領域の約１０％及び１５％以内であることを特徴とする請求項１、又は請求項１０に記載の分散モード能動音響機器。
【請求項１４】  前記パネル部材はほぼ矩形であり、前記周縁位置は、該パネル部材の１／４長さ位置のそれぞれの約２８％及び３０％以内であることを特徴とする請求項１、又は請求項１０に記載の分散モード能動音響機器。
【請求項１５】  前記パネル部材はほぼ矩形であり、前記周縁位置は、該パネル部材のいずれかのコーナから約０．３８ないし０．４５長の範囲にあることを特徴とする請求項１、又は請求項１０に記載の分散モード能動音響機器。
【請求項１６】  前記周縁位置は、前記パネル部材のいずれかのコーナから約０．４２ないし０．４４長の位置にあることを特徴とする請求項１５に記載の分散モード能動音響機器。
【請求項１７】  前記パネル部材は、前記トランスデューサを有する端辺に少なくとも２つの前記トランスデューサを有することを特徴とする請求項１に記載の分散モード能動音響機器。
【請求項１８】  前記パネル部材は複数の辺を有する形状であり、前記トランスデューサが少なくとも２つの側辺に組み合わされていることを特徴とする請求項１７に記載の分散モード能動音響機器。
【請求項１９】  前記パネル部材は実質的に矩形であり、前記トランスデューサがその長辺及び短辺に組み合わされていることを特徴とする請求項１７又は請求項１８に記載の分散モード能動音響機器。
【請求項２０】  複数の辺を有するパネル部材とそれに連結されたトランスデューサとを備えた分散モード能動音響機器であって、
前記パネル部材は撓み波を維持することができ、撓み波振動の複数の共振モードの分布がトランスデューサと共に音響性能を左右するようになっており、
前記トランスデューサは、それ自体で該パネル部材との最良の作動上の相互作用を得るように選択された位置ではなく、前記パネル部材が実質的に妨害されない状態になる前記パネル部材の周縁位置に配置され、
質量体が、前記トランスデューサと共に機器の音響作動を改善するように選択された少なくとも１つの区分された位置で、前記パネル部材の端辺に連結されている、
ことを特徴とする分散モード能動音響機器。
【請求項２１】  複数の辺を有するパネル部材とそれに連結されたトランスデューサとを備えた分散モード能動音響機器であって、
前記パネル部材は撓み波を維持することができ、撓み波振動の共振モードの分布がトランスデューサと共に音響性能を左右するようになっており、
前記トランスデューサは、それ自体で該パネル部材との最良の作動上の相互作用を得るように選択された位置ではなく、前記パネル部材が実質的に妨害されない状態になる該パネル部材の周縁位置に配置され、
前記パネル部材の端辺が、前記トランスデューサと共に機器の音響作動を改善するように選択された少なくとも１つの区分された位置でクランプされている、
ことを特徴とする分散モード能動音響機器。
【請求項２２】  前記パネル部材の周り及びそれを越えて延びるバッフルを更に備えていることを特徴とする請求項１、請求項２０、又は請求項２１に記載の分散モード能動音響機器。
【請求項２３】  前記パネル部材は、少なくとも部分的に透明又は半透明であることを特徴とする請求項１、請求項２０、又は請求項２１に記載の分散モード能動音響機器。
【請求項２４】  前記トランスデューサは、電気機械式であることを特徴とする請求項１、請求項２０、又は請求項２１に記載の分散モード能動音響機器。
【請求項２５】  前記トランスデューサは、前記パネル部材の端辺に粗密波を送り、及び／又は該パネル部材に沿って横撓み波を送るために該パネル部材の端辺を横方向に撓ませ、及び／又は該パネル部材のコーナを横切るねじりを加え、及び／又は該パネル部材の局所端辺領域に線形撓みを生成するように作動することを特徴とする請求項１、請求項２０、又は請求項２１に記載の分散モード能動音響機器。
【請求項２６】  複数の辺を有するパネル部材とそれに連結されたトランスデューサとを備え、該パネル部材は撓み波を維持することができ、撓み波振動の複数の共振モードの分布が該トランスデューサと共に音響性能を左右するようになっており、該トランスデューサは、それ自体で該パネル部材との最良の作動上の相互作用を得るように選択された位置ではなく、該パネル部材が実質的に妨害されない状態になる該パネル部材の周縁位置に配置された、分散モード能動音響機器における音響作動を改善する方法であって、
トランスデューサと共に機器の音響作動を改善するように選択された区分された位置においてパネル部材の端辺に質量体を連結する、
ことを特徴とする方法。
【請求項２７】  複数の辺を有するパネル部材とそれに連結されたトランスデューサとを備え、該パネル部材は撓み波を維持することができ、撓み波振動の複数の共振モードの分布が該トランスデューサと共に音響性能を左右するようになっており、該トランスデューサは、それ自体で該パネル部材との最良の作動上の相互作用を得るように選択された位置ではなく、該パネル部材が実質的に妨害されない状態になる該パネル部材の周縁位置に配置された、分散モード能動音響機器における音響作動を改善する方法であって、
トランスデューサと共に機器の音響作動を改善するように選択された区分された位置においてパネル部材の端辺をクランプする、
ことを特徴とする方法。